(57)【要約】  この発明の目的は、一体型マットレスにおいて底付きを予防したエアマットレスを提供することにある。  上記目的を達成可能な本発明のエアマットレスは、重ね合わされて周囲部が接着され密封状態とされた３枚のシート１〜３から成り、第１，第２シート１，２により左右方向に形成される筒状エアセルから成る第１層エアセル６ａ，６ｂと、第２，第３シート２，３により左右方向に形成される筒状エアセルから成る第２層エアセル８とから構成され、第１層エアセル６ａ，６ｂと第２層エアセル８の配置が長手方向にずれている。そして、上側の第１層エアセル６ａ，６ｂが床ずれが生じにくい低圧に設定され、下側の第２層エアセル８が底付きがしにくい高圧に設定される（図４）。【特許請求の範囲】
【請求項１】
重ね合わされて周囲部が接着され密封状態とされた３枚のシートから成り、第１，第２シートにより左右方向に形成される筒状エアセルから成る第１層エアセルと、第２，第３シートにより左右方向に形成される筒状エアセルから成る第２層エアセルとから構成され、前記第１層エアセルと第２層エアセルの配置が長手方向にずれていることを特徴とするエアマットレス。
【請求項２】
上側の第１層エアセルが床ずれが生じにくい低圧に設定され、下側の第２層エアセルが底付きがしにくい高圧に設定されることを特徴とする請求項１記載のエアマットレス。
【請求項３】
上下シートの側端部間に、側面用シート２枚の各一側端部側を接合して接合部側を内側に向けて配置した側面用部材を介在させて接合して成ることを特徴とする請求項１又は請求項２記載のエアマットレス。
【請求項４】
前記第１層エアセルが交互に配置された２系統に分けられて２系統間で交互に給排気されると共に、第２層エアセルが所定の内圧に維持されることを特徴とする請求項１ないし請求項４のいずれかに記載のエアマットレス。
【発明の詳細な説明】
【技術分野】
【０００１】
本願発明は、快適性と安全性を有するエアマットレスに関するものである。
【背景技術】
【０００２】
従来のエアマットレスとして、一体型マットレスはエアマットレスの表裏シートの各端部をウェルダー溶着成形することで形成した構造のものが多く見られる（例えば、特許文献１，特許文献２参照）。
【特許文献１】特開平７−３０８２４２号公報（図２）
【特許文献２】特許第３２９０１５９号公報（図５）
【発明の開示】
【０００３】
［発明が解決しようとする課題］
上記のようなエアマットレスを床ずれ予防に使用する場合には、エアマットレスの内圧を低く制御することにより体圧分散性能を良くしている。この時、内圧を低くしすぎると底付きする恐れがあった。
【０００４】
また、上記特許文献１の図２や特許文献２の図５に示されたような端部構造の場合、エアを充填すると側面部が丸く膨らんでしまうため、このエアマットレスから離床する際に端座位を取ると、臀部が滑り落ち易いという問題がある。
【０００５】
そこで、本願発明はこのような課題を解決するためになされたものであり、一体型マットレスにおいて底付きを予防し、端座位の安定感を実現したエアマットレスを提供することを目的とするものである。
【０００６】
［課題を解決するための手段］
上記のような目的を達成するために、本願発明に係るエアマットレスは、重ね合わされて周囲部が接着され密封状態とされた３枚のシートから成り、第１，第２シートにより左右方向に形成される筒状エアセルから成る第１層エアセルと、第２，第３シートにより左右方向に形成される筒状エアセルから成る第２層エアセルとから構成され、前記第１層エアセルと第２層エアセルの配置が長手方向にずれていることを特徴とするものである。
【０００７】
具体的には、上側の第１層エアセルが床ずれが生じにくい低圧に設定され、下側の第２層エアセルが底付きがしにくい高圧に設定されることを特徴とするものである。
【０００８】
さらに、上下シートの側端部間に、側面用シート２枚の各一側端部側を接合して接合部側を内側に向けて配置した側面用部材を介在させて接合して成ることを特徴とするものである。
【０００９】
また、前記第１層エアセルが交互に配置された２系統に分けられて２系統間で交互に給排気されると共に、第２層エアセルが所定の内圧に維持されることを特徴とするものである。
【００１０】
［発明の効果］
本願発明によるエアマットレスは、二層構造で第１層エアセルと第２層エアセルの配置が長手方向にずれているため、第１層エアセルと第２層エアセルを個別に制御して床ずれを生じにくくしながら底付きを予防することができる。
【００１１】
具体的には、上側の第１層エアセルにおいて利用者の身体を低圧保持することにより床ずれの発生が予防できる。同時に、下側の第２層エアセルにおいては第１層エアセルより高圧で保持することにより底付きを防止することができる。
【００１２】
さらに、エアを充填すると側面部が角型断面形状となるので、このエアマットレスから離床する際に端座位をとっても臀部が滑り落ち難くなる。
【００１３】
また、第１層エアセルを交互に配置された２系統に分けて、第１層系統Ａエアセルと第１層系統Ｂエアセルに交互にエアを給排気するようにすれば、使用者の体を支える位置を周期的に変更し、更なる床ずれ予防となる。この時も、第２層エアセルは高圧で制御され、底付きを抑えることができる。
【図面の簡単な説明】
【００１４】
【図１】本願発明の一実施形態に係るエアマットレスの斜視図。
【図２】同じく平面図。
【図３】第１〜第３シートの接着関係を示す概略斜視図。
【図４】図２のＡ−Ａ概略断面図。
【図５】図２のＢ−Ｂ概略断面図。
【符号の説明】
【００１５】
１  第１シート
２  第２シート
３  第３シート
４  周囲部
５  第１接着部
６ａ  第１層系統Ａエアセル
６ｂ  第２層系統Ｂエアセル
７  第２接着部
８  第２層エアセル
９  側面用成形品
９ａ，９ｂ  側面用シート
１０  エアマットレス
【発明を実施するための最良の形態】
【００１６】
以下、本願発明の実施形態を図面を参照して詳細に説明する。【００１７】
図１は、本願発明の一実施形態に係るエアマットレスの斜視図、図２は同じく平面図、図３は第１〜第３シートの接着関係を示す概略斜視図、図４は図２のＡ−Ａ概略断面図、図５は図２のＢ−Ｂ概略断面図であり、各図において、同一又は相当部分には同一符号を用いている。【００１８】
本実施形態のエアマットレス１０は、可撓性を有する長方形の３枚のシート，上から第１シート１、第２シート２、第３シート３が重ね合わせられ、周囲部４が接着されている。【００１９】
第１シート１と第２シート２間で接着された第１接着部５があり、これにより第１層系統Ａエアセル６ａと第１層系統Ｂエアセル６ｂが形成される。【００２０】
また、第２シート２と第３シート３間で接着された第２接着部７があり、これにより第２層エアセル８が形成される。【００２１】
周囲部４は３枚のシート１〜３が接着されている。図２では、第１シート１と第２シート２間で接着される第１接着部５が実線で示され、第２シート２と第３シート３間で接着される第２接着部７が破線で示されている。第１，第２接着部５，７は長手方向でずれて配置されている。また、各接着部５，７は、前述した特許文献２と同様に、左右エアセル部で傾斜屈曲部により前後にずらされている。【００２２】
第１，第２接着部５，７がずれて接着されているため、形成される筒状エアセル６ａ，６ｂ，８の断面形状は真円を描かず、図４に示すように楕円を描いている。これにより、下述する制御を効果的に行うことができると共に、エアマットレス使用時の身体接触面が楕円になっているため、通常の筒状エアマットに比べて凹凸感が少なく、寝心地が向上している。【００２３】
また、側面部は、図５に示すように２枚の側面用シート９ａ，９ｂの一側端部９ｃのみをウェルダー溶着等により溶着成形した側面用成形品９を作成し、その側面用シート９ａ，９ｂの非溶着側端部９ｄ間に非溶着部材として絶縁体等（例えばポリテトラフルオロエチレンフィルム等）を挟んで、第２シート２と第３シート３の側端部間に溶着部９ｃ側が内側を向くように配置した状態でウェルダー溶着等で成形され、エア充填時には両側面部が角形断面形状になるよう形成されている。【００２４】
これにより、エアが充填されると側面部が角型断面形状となり、このエアマットレス１０から離床する際に端座位をとっても滑り落ちにくくなっている。特に、本実施形態では図５に示すように上記のような側面処理を施した斜線部が第２層エアセル８となっており、常に高圧で制御されているため、さらに離床動作の安定感が得られる。【００２５】
使用に際しては、第１層系統Ａエアセル６ａと第１層系統Ｂエアセル６ｂを床ずれの生じにくい低圧にし、第２層エアセル８は底付きしにくい高圧となるように制御する。【００２６】
これにより、使用者のエアマットレス１０との接触部は体圧分散の良い低圧で保持される。また、低圧の第１層エアセル６ａ，６ｂが寝返りなどで押しつぶされても、第１層エアセル６ａ，６ｂ間の下に第２層エアセル８があり、高圧で支えられ底付きを抑えることができる。【００２７】
別の制御方法として、第１層系統Ａエアセル６ａと第１層系統Ｂエアセル６ｂに交互にエアを給排気するようにすれば、使用者の体を支える位置を周期的に変更し、更なる床ずれ予防となる。この時も、第２層エアセル８は高圧で制御され、底付きを抑えることができる。
【図１】
2007023676.tif 000002
【図２】
2007023676.tif 000003
【図３】
2007023676.tif 000004
【図４】
2007023676.tif 000005
【図５】
2007023676.tif 000006
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
重ね合わされて周囲部が接着され密封状態とされた３枚のシートから成り、第１，第２シートにより左右方向に形成される筒状エアセルから成る第１層エアセルと、第２，第３シートにより左右方向に形成される筒状エアセルから成る第２層エアセルとから構成され、前記第２シートと前記第３シートの側端部間に、側面用シート２枚の各一側端部側を接合して接合部側を内側に向けて配置した側面用部材を介在させて接合して成るエアマットレスであって、
前記第１層エアセルと第２層エアセルの配置が長手方向にずれていると共に、
下側に形成される前記第２層エアセルが略所定の内圧に維持される一方、
上側に形成される前記第１層エアセルが前記第２層エアセルよりも低圧に設定されてなることを特徴とするエアマットレス。
【請求項２】
前記第１層エアセルが交互に配置された２系統に分けられて２系統間で交互に給排気されると共に、前記第２層エアセルが略所定の内圧に維持されることを特徴とする請求項１に記載のエアマットレス。
【手続補正２】
【補正対象書類名】明細書
【補正対象項目名】０００６
【補正方法】変更
【補正の内容】
【０００６】
［課題を解決するための手段］
上記のような目的を達成するために、本願発明に係るエアマットレスは、重ね合わされて周囲部が接着され密封状態とされた３枚のシートから成り、第１，第２シートにより左右方向に形成される筒状エアセルから成る第１層エアセルと、第２，第３シートにより左右方向に形成される筒状エアセルから成る第２層エアセルとから構成され、前記第２シートと前記第３シートの側端部間に、側面用シート２枚の各一側端部側を接合して接合部側を内側に向けて配置した側面用部材を介在させて接合して成るエアマットレスであって、前記第１層エアセルと第２層エアセルの配置が長手方向にずれていると共に、下側に形成される前記第２層エアセルが略所定の内圧に維持される一方、上側に形成される前記第１層エアセルが前記第２層エアセルよりも低圧に設定されてなることを特徴とするものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【国際調査報告】
2007023676.tif 000007
2007023676.tif 000008
2007023676.tif 000009
2007023676.tif 000010